(57)【要約】【課題】電源オン状態から電源オフ状態へ移行する場合において、ユーザの所望とする情報を不揮発性表示部に表示することができる携帯型表示装置及びプログラムを提供する。【解決手段】携帯型表示装置は、ユーザによって操作可能な操作部の操作に応じて指定され、電源オフ状態のときに前記不揮発性表示部に表示する情報を記憶する。携帯型表示装置は、電源オン状態から電源オフ状態へ移行する際に、記憶された情報を不揮発性表示部に表示する。【選択図】図４
2011039703.tif 000002
【特許請求の範囲】
【請求項１】
電源からの電力供給が断たれたときでも表示を維持する不揮発性表示部と、
前記不揮発性表示部を駆動して、前記不揮発性表示部に情報を表示する制御部と、
ユーザによって操作可能な操作部と、
前記操作部の操作に応じて指定され、電源オフ状態のときに前記不揮発性表示部に表示する情報を記憶する情報記憶部と、を備え、
前記制御部は、電源オン状態から電源オフ状態へ移行する際に、前記情報記憶部に記憶された情報を前記不揮発性表示部に表示することを特徴とする携帯型表示装置。
【請求項２】
前記情報記憶部は、前記操作部の操作に応じて指定された複数の情報を記憶可能としたことを特徴とする請求項１に記載の携帯型表示装置。
【請求項３】
前記制御部は、電源オン状態から電源オフ状態へ移行する際に、前記情報記憶部に記憶された複数の情報を同時に前記不揮発性表示部に表示することを特徴とする請求項２に記載の携帯型表示装置。
【請求項４】
前記制御部は、電源オン状態から電源オフ状態へ移行する毎に、前記情報記憶部に記憶された複数の情報から順次異なる情報を選択して前記不揮発性表示部に表示することを特徴とする請求項２に記載の携帯型表示装置。
【請求項５】
前記制御部は、電源オン状態から電源オフ状態へ移行する際に、前記情報記憶部に記憶された複数の情報のうち、当該移行直前の電源オン状態において前記不揮発性表示部に表示している情報に関連する情報を前記不揮発性表示部に表示することを特徴とする請求項２から４のいずれか１項に記載の携帯型表示装置。
【請求項６】
前記不揮発性表示部に表示している情報に関連する情報は、前記不揮発性表示部に表示している情報が記憶されているフォルダに格納されている情報、又は、前記不揮発性表示部に表示している情報と同じ情報種別の情報であることを特徴とする請求項５に記載の携帯型表示装置。
【請求項７】
前記制御部は、電源オン状態から電源オフ状態へ移行する際に、前記情報記憶部に記憶された複数の情報のうち、前記電源オフ状態へ移行する時間に応じた情報を前記不揮発性表示部に表示することを特徴とする請求項２から６のいずれか１項に記載の携帯型表示装置。
【請求項８】
前記操作部の操作に応じて、予め設定された情報を前記不揮発性表示部に表示する第１モードと、前記不揮発性表示部に表示している情報をそのまま継続して表示する第２モードとのいずれか一つのモードを記憶するモード記憶部を備え、
前記制御部は、電源オン状態から電源オフ状態へ移行する際に、前記モード記憶部に記憶されているモードが前記第１モードであるときは予め設定された情報を前記不揮発性表示部に表示し、前記モード記憶部に記憶されているモードが前記第２モードであるときは前記不揮発性表示部に表示している情報をそのまま継続して表示することを特徴とする請求項１から７のいずれか１項に記載の携帯型表示装置。
【請求項９】
電源からの電力供給が断たれたときでも表示を維持する不揮発性表示部と、
前記不揮発性表示部を駆動して、前記不揮発性表示部に情報を表示する制御部と、
ユーザによって操作可能な操作部と、
前記操作部の操作に応じて指定され、電源オフ状態のときに前記不揮発性表示部に表示する情報を記憶する情報記憶部と、を備えた携帯型表示装置の制御部に、
電源オン状態から電源オフ状態へ移行する際に、前記情報記憶部に記憶された情報を前記不揮発性表示部に表示するステップを実行させるプログラム。
【発明の詳細な説明】
【技術分野】
【０００１】
本発明は、携帯型表示装置及びプログラムに関するものであり、電源からの電力供給が断たれたときでも表示を維持する携帯型表示装置及びプログラムに関するものである。
【背景技術】
【０００２】
従来、電源からの電力供給が断たれたときにおいても表示状態を保持する不揮発性表示部を備えた電子ペーパー等の携帯型表示装置が使用されている（例えば、特許文献１参照）。このような携帯型表示装置では、携帯型表示装置が電源オン状態から電源オフ状態となる直前において不揮発性表示部に表示されている情報がそのまま維持される。このため、携帯型表示装置が電源オフ状態のときであっても、ユーザは情報を閲覧することができる。
【０００３】
一方、セキュリティ等の関係で、電源オン状態から電源オフ状態に移行した直前に不揮発性表示部において表示されていた情報を消去し、「電源オフしました」というような文字情報を表示させる報知表示を行う携帯型表示装置も知られている。
【先行技術文献】
【特許文献】
【０００４】
【特許文献１】特開２００７−１８７９２７号公報
【発明の概要】
【発明が解決しようとする課題】
【０００５】
しかしながら、上述したような携帯型表示装置では、電源オン状態から電源オフ状態へ移行する場合において、その電源オフ状態へ移行する直前に表示されている情報を継続して表示するか、上述した報知表示を行わせるかであり、電源オフ状態へ移行した後においてユーザの所望とする情報を不揮発性表示部に表示することができないおそれがあり、簡便ではない。
【０００６】
本発明は、上述したような課題に鑑みてなされたものであり、電源オン状態から電源オフ状態へ移行する場合において、ユーザの所望とする情報を不揮発性表示部に表示することができる携帯型表示装置及びプログラムを提供することを目的とする。
【課題を解決するための手段】
【０００７】
以上のような目的を達成するために、本発明は、以下のようなものを提供する。
【０００８】
すなわち、請求項１記載の本発明では、電源からの電力供給が断たれたときでも表示を維持する不揮発性表示部と、前記不揮発性表示部を駆動して、前記不揮発性表示部に情報を表示する制御部と、ユーザによって操作可能な操作部と、前記操作部の操作に応じて指定され、電源オフ状態のときに前記不揮発性表示部に表示する情報を記憶する情報記憶部と、を備え、前記制御部は、電源オン状態から電源オフ状態へ移行する際に、前記情報記憶部に記憶された情報を前記不揮発性表示部に表示することを特徴とする携帯型表示装置とした。
【０００９】
また、請求項２記載の本発明では、請求項１に記載の発明において、前記情報記憶部は、前記操作部の操作に応じて指定された複数の情報を記憶可能としたことを特徴とするものである。
【００１０】
また、請求項３記載の本発明では、請求項２に記載の発明において、前記制御部は、電源オン状態から電源オフ状態へ移行する際に、前記情報記憶部に記憶された複数の情報を同時に前記不揮発性表示部に表示することを特徴とするものである。
【００１１】
また、請求項４記載の本発明では、請求項２に記載の発明において、前記制御部は、電源オン状態から電源オフ状態へ移行する毎に、前記情報記憶部に記憶された複数の情報から順次異なる情報を選択して前記不揮発性表示部に表示することを特徴とするものである。
【００１２】
また、請求項５記載の本発明では、請求項２から４のいずれか１項に記載の発明において、前記制御部は、電源オン状態から電源オフ状態へ移行する際に、前記情報記憶部に記憶された複数の情報のうち、当該移行直前の電源オン状態において前記不揮発性表示部に表示している情報に関連する情報を前記不揮発性表示部に表示することを特徴とするものである。
【００１３】
また、請求項６記載の本発明では、請求項５に記載の発明において、前記不揮発性表示部に表示している情報に関連する情報は、前記不揮発性表示部に表示している情報が記憶されているフォルダに格納されている情報、又は、前記不揮発性表示部に表示している情報と同じ情報種別の情報であることを特徴とするものである。
【００１４】
また、請求項７記載の本発明では、請求項２から６のいずれか１項に記載の発明において、前記制御部は、電源オン状態から電源オフ状態へ移行する際に、前記情報記憶部に記憶された複数の情報のうち、前記電源オフ状態へ移行する時間に応じた情報を前記不揮発性表示部に表示することを特徴とするものである。
【００１５】
また、請求項８記載の本発明では、請求項１から７のいずれか１項に記載の発明において、前記操作部の操作に応じて、予め設定された情報を前記不揮発性表示部に表示する第１モードと、前記不揮発性表示部に表示している情報をそのまま継続して表示する第２モードとのいずれか一つのモードを記憶するモード記憶部を備え、前記制御部は、電源オン状態から電源オフ状態へ移行する際に、前記モード記憶部に記憶されているモードが前記第１モードであるときは予め設定された情報を前記不揮発性表示部に表示し、前記モード記憶部に記憶されているモードが前記第２モードであるときは前記不揮発性表示部に表示している情報をそのまま継続して表示することを特徴とするものである。
【００１６】
また、請求項９記載の本発明では、電源からの電力供給が断たれたときでも表示を維持する不揮発性表示部と、前記不揮発性表示部を駆動して、前記不揮発性表示部に情報を表示する制御部と、ユーザによって操作可能な操作部と、前記操作部の操作に応じて指定され、電源オフ状態のときに前記不揮発性表示部に表示する情報を記憶する情報記憶部と、を備えた携帯型表示装置の制御部に、電源オン状態から電源オフ状態へ移行する際に、前記情報記憶部に記憶された情報を前記不揮発性表示部に表示するステップを実行させるプログラムとした。
【発明の効果】
【００１７】
請求項１又は９に係る発明では、ユーザによって操作可能な操作部の操作に応じて指定され、電源オフ状態のときに不揮発性表示部に表示する情報を記憶し、電源オン状態から電源オフ状態へ移行する際に、その記憶された情報を不揮発性表示部に表示する。従って、電源オフ状態のときに表示させる情報が、ユーザによって指定でき、電源オン状態から電源オフ状態へ移行する場合において、ユーザの所望とする情報を不揮発性表示部に表示することができ、簡便である。
【００１８】
また、請求項２に係る発明では、操作部の操作に応じて指定された複数の情報を記憶可能とした。従って、複数の情報を設定可能となり、電源オン状態から電源オフ状態へ移行する場合において、表示する情報のバリエーションを増大させることができる。
【００１９】
また、請求項３に係る発明では、電源オン状態から電源オフ状態へ移行する際に、情報記憶部に記憶された複数の情報を同時に不揮発性表示部に表示する。従って、電源オフ状態へ移行する際に複数の情報を同時に表示でき、多くの情報を視認することができる。
【００２０】
また、請求項４に係る発明では、電源オン状態から電源オフ状態へ移行する毎に、情報記憶部に記憶された複数の情報から順次異なる情報を選択して前記不揮発性表示部に表示する。従って、複数の情報から順次異なる情報を選択し、表示するため、複数の情報を順次表示でき、表示する情報に対する飽きを防止することができる。また、表示サイズを小さくすることなく、情報を表示することができる。
【００２１】
また、請求項５に係る発明では、電源オン状態から電源オフ状態へ移行する際に、記憶された複数の情報のうち、その移行直前の電源オン状態において不揮発性表示部に表示している情報に関連する情報を不揮発性表示部に表示する。従って、ユーザが視認していた情報に関連する情報を表示することによって、電源オン状態と電源オフ状態とで関連性を持たせることができる。
【００２２】
また、請求項６に係る発明では、不揮発性表示部に表示している情報に関連する情報は、不揮発性表示部に表示している情報が記憶されているフォルダに格納されている情報、又は、不揮発性表示部に表示している情報と同じ情報種別の情報である。従って、不揮発性表示部に表示している情報が記憶されているフォルダに格納されている情報、又は、不揮発性表示部に表示している情報と同じ情報種別の情報に関連する情報を表示させることができ、簡便である。
【００２３】
また、請求項７に係る発明では、電源オン状態から電源オフ状態へ移行する際に、情報記憶部に記憶された複数の情報のうち、電源オフ状態へ移行する時間に応じた情報を不揮発性表示部に表示する。従って、複数の情報のうち、電源オフ状態へ移行する時間に応じた情報を表示させることができ、簡便である。
【００２４】
また、請求項８に係る発明では、操作部の操作に応じて、予め設定された情報を不揮発性表示部に表示する第１モードと、不揮発性表示部に表示している情報をそのまま継続して表示する第２モードとのいずれか一つのモードを記憶する。そして、電源オン状態から電源オフ状態へ移行する際に、第１モードであるときは予め設定された情報を不揮発性表示部に表示し、第２モードであるときは不揮発性表示部に表示している情報をそのまま継続して表示する。従って、電源オン状態から電源オフ状態へ移行する際に予め設定された情報を不揮発性表示部に表示する第１モードとするか、電源オン状態から電源オフ状態へ移行する際に不揮発性表示部に表示している情報をそのまま継続して表示する第２モードとするかをユーザの操作によって決定することができるため、電源オン状態から電源オフ状態へ移行する場合に、ユーザの所望とするモードで情報を不揮発性表示部に表示することができ、簡便である。
【図面の簡単な説明】
【００２５】
【図１】携帯型表示装置１の正面図である。
【図２】携帯型表示装置１及び外部装置２００の電気的構成を示す模式図である。
【図３】携帯型表示装置１における電源オフ表示テーブルを示す説明図である。
【図４】電気泳動表示装置２１にコンテンツが表示されている状態を示す説明図である。
【図５】携帯型表示装置１において実行される処理の動作を示すフローチャートである。
【図６】携帯型表示装置１において実行される処理の動作を示すフローチャートである。
【図７】携帯型表示装置１において実行される処理の動作を示すフローチャートである。
【図８】外部装置２００において実行される処理の動作を示すフローチャートである。
【図９】第二実施形態の携帯型表示装置１における電源オフ表示テーブルを示す説明図である。
【発明を実施するための形態】
【００２６】
以下、本発明の一の実施の形態について図面を参照して説明する。
【００２７】
尚、本発明は、電源オン状態から電源オフ状態に移行する際における制御に関するものであり、以下の実施形態における携帯型表示装置１に採用する。
【００２８】
まず、図１を参照して、携帯型表示装置１の外観及び主な動作について説明する。図１は、携帯型表示装置１の正面図である。
【００２９】
図１に示すように、携帯型表示装置１は、略直方体形状をしており、その正面には電気泳動表示装置２１（不揮発性表示部）が設けられている。また、図１において図示しないが、携帯型表示装置１の右側面には、メモリカード２３（図２参照）を挿入するためのカードスロットが設けられている。携帯型表示装置１では、メモリカード２３に記憶されているコンテンツを電気泳動表示装置２１に表示させることができる。尚、本実施の形態における「コンテンツ」は、文字、静止画像及び動画のうちの少なくとも１つの情報を含む。そして、「コンテンツ」のデータは、文字を表示させるためのデータ，画像を表示させるためのデータ及び動画を表示させるためのデータのうちの少なくとも１つのデータで構成される。
【００３０】
そして、電気泳動表示装置２１の右側には、ユーザによって操作可能な操作部としての操作キー１４が設けられている。決定キー１４５の上下左右にはそれぞれ、上キー１４１，下キー１４２，左キー１４４，右キー１４３が設けられている。例えば、上キー１４１及び下キー１４２は目次画面やメニュー画面においてコンテンツを選択するためのキーであり、左キー１４４及び右キー１４３は表示されているコンテンツのページめくりを行うためのキーである。これらの操作キー１４を電気泳動表示装置２１に表示されている情報に応じて操作することにより、メモリカード２３に記憶されているコンテンツを表示させたり、各種設定の指示がなされたりする。
【００３１】
また、操作キー１４の下部には電源キー１５が設けられている。電源キー１５は、携帯型表示装置１の電源の入り切りを指示するキーである。即ち、電源キー１５は、携帯型表示装置１をオフ状態からオン状態に移行させ、また、携帯型表示装置１をオン状態からオフ状態に移行させるキーである。
【００３２】
次に、図２を参照して、携帯型表示装置１の電気的構成について説明する。図２は、携帯型表示装置１の電気的構成を示す模式図である。
【００３３】
図２に示すように、携帯型表示装置１には、制御部としてのＣＰＵ１０と、表示コントローラ１１と、充電コントローラ１２と、メモリカードインタフェース（Ｉ／Ｆ）１３と、操作キー１４と、電源キー１５と、ＲＯＭ１６と、ＲＡＭ１７と、ＥＥＰＲＯＭ１８と、ＲＴＣ（Ｒｅａｌ  Ｔｉｍｅ  Ｃｌｏｃｋ）１９とが設けられている。
【００３４】
ＣＰＵ１０は携帯型表示装置１の制御を司り、特に、電気泳動表示装置２１を駆動して、情報を表示する。ＲＯＭ１６は、各種データ及び携帯型表示装置１を動作させるプログラムが記憶されている。ＲＡＭ１７は各種データを一時的に記憶するメモリであり、ＥＥＰＲＯＭ１８は、後述の電源オフ表示テーブル等の各種データを記憶した不揮発性メモリである。ＲＴＣ１９は、時間を計測する。そして、表示コントローラ１１は、電気泳動表示装置２１（図１参照）への情報の表示を制御する。メモリカードＩ／Ｆ１３は、メモリカード２３からのデータの読み取り、メモリカード２３へのデータの書き込みを制御する。尚、携帯型表示装置１は、図示外の外部電源から電力供給を受けていない場合には、内部電源であるバッテリ２２の電力で駆動される。バッテリ２２又は外部電源からの電力供給経路は、ＣＰＵ１０に対するものと、ＲＯＭ１６，ＲＡＭ１７，ＥＥＰＲＯＭ１８，表示コントローラ１１といった周辺機器に対するものとの２系統ある。そして、充電コントローラ１２は、バッテリ２２への外部電源からの充電を制御する。
【００３５】
また、この携帯型表示装置１では、電源キー１５の押下により電源の入り切りを指示できる。電源オフ状態で電源キー１５が押下されたり、操作キー１４が押下されたりすると、「電源投入」の指示とされ、ＣＰＵ１０及び周辺機器への電力供給が行われ、携帯型表示装置１は稼働状態、即ち電源オン状態となる。一方、電源オン状態で電源キー１５が押下されると、「電源切断」の指示とされ、電源オン状態から電源オフ状態へ移行するための電源オフ処理が行われて、ＣＰＵ１０及び周辺機器への電力供給が断たれる。また、ユーザからの操作が所定時間（電源オフ設定時間）行われなかった場合にも、携帯型表示装置１は使用されていない状態であるとして、電源オフ処理が行われて、ＣＰＵ１０及び周辺機器への電力供給が断たれる。
【００３６】
尚、上記電源オフ状態として、本実施形態では、ＣＰＵ１０及び周辺機器への電力供給が断たれる状態としているが、これに限らず、次の状態（ａ）〜（ｄ）のいずれか、もしくは、状態（ａ）〜（ｃ）のいずれかの組み合わせの状態、もしくは、（ｂ）〜（ｄ）のいずれかの組み合わせの状態としてもよい。（ａ）ＣＰＵ１０の電力供給が停止された状態。（ｂ）少なくともいずれか一つの周辺機器（たとえば、ＲＡＭ１７、表示コントローラ１１等の各コントローラ、電気泳動表示装置２１等）の電力供給が停止された状態。（ｃ）少なくともいずれか一つの周辺機器の動作モードが通常時よりも消費電力の少ない省電力モードに移行した状態。（ｄ）ＣＰＵ１０の動作モードが通常時よりも消費電力の少ない省電力モードに移行した状態。これらの電源オフ状態は次のときに引き起こされる。電源キー１５が押下されたとき。または、所定時間の間、操作キー１４が押下されなかったとき。バッテリ２２の電池残量が少なくなったとき。または、バッテリ２２の電池残量が無くなること、もしくは、バッテリ２２の未装填が原因で、バッテリ２２から電力の供給が不可能になったとき。
【００３７】
電気泳動表示装置２１は、不揮発性の不揮発性表示部であり、電気泳動表示装置２１への電力供給が断たれても表示状態を保持することができる。つまり、この電気泳動表示装置２１は、電源からの電力供給が断たれたときでも表示を維持する。このため、電源オフ状態であっても維持（保持）された情報を視認可能となり、省電力を図ることもできる。
【００３８】
また、この携帯型表示装置１は、外部装置２００とメモリカード２３を介してデータの読み書きが可能である。この外部装置２００は、携帯型表示装置１に対して文書などのコンテンツのデータや、そのコンテンツに関連して電源オフ時に表示させる情報である電源オフ時表示情報のデータなどを供給することとなる。
【００３９】
外部装置２００には、制御部としてのＣＰＵ２１０と、表示コントローラ２１１と、メモリカードインタフェース（Ｉ／Ｆ）２１３と、操作部２１４と、ＲＯＭ２１６と、ＲＡＭ２１７と、ハードディスクドライブ（ＨＤＤ）２１８と、表示装置２２１とが設けられている。
【００４０】
ＣＰＵ２１０は外部装置２００の制御を司る。ＲＯＭ２１６は、各種データ及び外部装置２００を動作させるプログラムが記憶されている。ＲＡＭ２１７は各種データを一時的に記憶するメモリであり、ＨＤＤ２１８は、外部装置２００の各種データを記憶する不揮発性の記憶媒体である。そして、表示コントローラ２１１は、表示装置２２１への情報の表示を制御する。メモリカードＩ／Ｆ２１３は、メモリカード２３からのデータの読み取り、メモリカード２３へのデータの書き込みを制御する。
【００４１】
この外部装置２００は、メモリカード２３を介して、携帯型表示装置１におけるコンテンツのデータを供給するために用いられるが、特に、後述する図８のような処理を実行し、コンテンツに対して設定される電源オフ時における電源オフ時表示情報や、その設定自体を携帯型表示装置１に供給するためにも用いられる。
【００４２】
表示コントローラ１１は、ＣＰＵ１０から受信する情報の書き換え指示に従って、電気泳動表示装置２１のゲートドライバ（図示せず）とソースドライバ（図示せず）とを制御して、電気泳動表示装置２１の画像を書き換える。
【００４３】
電気泳動表示装置２１は、電気泳動表示パネル（図示せず）と、電気泳動表示パネルの各ゲートラインへゲート信号を出力するためのゲートドライバと、電気泳動表示パネルの各ソースラインへソース信号を出力するためのソースドライバとを備える。電気泳動表示パネルは、アクティブマトリクス方式の表示パネルである。電気泳動表示パネルは、表示面側の透明基板と、透明基板に対向する位置に設けられた背面基板とを有する。透明基板と背面基板との間に電気泳動型の表示素子が設けられている。アクティブマトリクス方式の表示パネルは、透明基板側に設けられた共通電極と背面基板側に画素ごとに設けられた画素電極とにそれぞれ電圧を印加することにより情報の書き換えが行われる。表示コントローラ１１から情報の書き換えの指示を受けたゲートドライバとソースドライバとは、書き換える情報に応じたゲート信号とソース信号とを電気泳動表示パネルのゲートラインとソースラインとに出力する。これにより電気泳動表示パネルの各画素電極には電気泳動型の表示素子を制御する電圧が印加され、電気泳動表示パネルに表示された情報は書き換えられる。
【００４４】
次に、図３を参照して、携帯型表示装置１で電源オン状態から電源オフ状態に移行する場合において、電源オフ状態で表示させる電源オフ時表示情報を決定するための電源オフ表示テーブルについて説明する。図３は、携帯型表示装置１における電源オフ表示テーブルを示す説明図である。
【００４５】
電源オフ表示テーブルには、図３（ａ）に示すような電源オフ表示テーブル（本体）と、図３（ｂ）に示すような電源オフ表示テーブル（コンテンツ）と、が含まれている。電源オフ表示テーブル（本体）は、携帯型表示装置１の自体（本体）全般に対応する電源オフ時表示情報の設定を記憶したテーブルであり、電源オフ表示テーブル（コンテンツ）は、コンテンツ毎に対応する電源オフ時表示情報の設定を記憶したテーブルである。電源オフ表示テーブルは、携帯型表示装置１のＥＥＰＲＯＭ１８やメモリカード２３内に記憶されている。具体的には、電源オフ表示テーブル（本体）はＥＥＰＲＯＭ１８に記憶されており、電源オフ表示テーブル（コンテンツ）はメモリカード２３に記憶されている。電源オフ表示テーブルは、図３に示すように、設定対象と、その設定対象に対応する電源オフ時表示情報の設定とが対応付けられている。電源オフ表示テーブルにおける電源オフ時表示情報の設定は、操作キー１４や外部装置２００の操作部２１４の操作により行うことができる。
【００４６】
電源オフ時表示情報の設定の種類には、各種情報以外に、報知表示、本体設定が含まれている。報知表示は、電源オフ状態において報知表示する設定である。本体設定は、電源オフ表示テーブル（コンテンツ）のみで設定可能であり、コンテンツにおけるデフォルト設定である。この本体設定は、上述した電源オフ表示テーブル（本体）の設定に基づいて、電源オフ時表示情報を決定する設定である。例えば、図３（ｂ）の電源オフ表示テーブル（コンテンツ）では、文書Ｈにおいて本体設定が設定されている。文書Ｈを表示している状態で電源オフ状態から電源オン状態に移行するときは、図３（ａ）に示す電源オフ表示テーブル（本体）が参照され、報知表示が電気泳動表示装置２１に対して行われる。
【００４７】
この電源オフ表示テーブルにおいては、一つの設定対象に対して複数の電源オフ時表示が設定可能である。例えば、図３（ｂ）に示す電源オフ表示テーブル（コンテンツ）では、文書Ｅにおいて情報３、情報４、情報５が設定されている。
【００４８】
このような電源オフ表示テーブルが記憶された携帯型表示装置１のＥＥＰＲＯＭ１８やメモリカード２３内には、「コンテンツ」のデータが記憶されているが、上述した電源オフ時表示情報として設定されている情報１〜５の画像などのデータも記憶されている。ＥＥＰＲＯＭ１８や、メモリカード２３は、情報記憶部の一例である。
【００４９】
次に、図４を参照して、電気泳動表示装置２１の表示内容について説明する。
【００５０】
電気泳動表示装置２１では、電源オン状態においては、図４（ａ）に示すようなメールの内容など、各種コンテンツが表示される。この場合においては、電気泳動表示装置２１の表示領域下方（フッタ）には、ページ情報等が表示されている。
【００５１】
そして、このような電源オン状態で、電源キー１５の押下操作が行われたときや、操作キー１４の操作なく電源オフ設定時間が経過したときには、電源オン状態から電源オフ状態となるが、この場合において、図４（ｂ）に示すように、設定されている電源オフ時表示情報（例えば、情報１）が表示され、電気泳動表示装置２１の表示領域下方（フッタ）には、「電源オフしました」というメッセージが表示される。
【００５２】
また、図４（ｂ）に示すような電源オフ状態において、電源キー１５の押下操作が行われたときや、操作キー１４が操作されたときには、電源オフ状態から電源オン状態となり、図４（ａ）に示すように、電気泳動表示装置２１には、電源オフ状態になる前に表示されていた情報が再度表示される。尚、電源オフ状態において報知表示がされていた場合は、図４（ａ）に示すような画像は表示されず、図４（ｅ）に示すようなトップページが表示される。
【００５３】
電源オフ表示テーブルにおいて、一つの設定対象に対して複数の電源オフ時表示情報が設定されているときには（例えば、情報１、情報２、情報３など）、図４（ｃ）に示すように、設定されている複数の電源オフ時表示情報が並べて表示され、電気泳動表示装置２１の表示領域下方には、「電源オフしました」というメッセージが表示される。つまり、ＣＰＵ１０は、電源オン状態から電源オフ状態へ移行する際に、記憶された複数の情報を同時に表示することとなる。従って、電源オフ状態へ移行する際に複数の情報を同時に表示でき、多くの情報を視認することができる。
【００５４】
尚、本実施形態においては、複数の電源オフ時表示情報が設定されているときには、それら複数の電源オフ時表示情報を並べて表示したが、これに限らず、例えば、設定されている複数の電源オフ時表示情報のいずれか（例えば、情報２）が選択され、表示されるようにしてもよい。つまり、ＣＰＵ１０は、電源オン状態から電源オフ状態へ移行する毎に、記憶された複数の電源オフ時表示情報から順次異なる電源オフ時表示情報を選択して表示することとなる。従って、複数の電源オフ時表示情報から順次異なる電源オフ時表示情報を選択し、表示するため、複数の電源オフ時表示情報を順次表示でき、表示する情報に対する飽きを防止することができる。また、表示サイズを小さくすることなく、電源オフ時表示情報を表示することができる。
【００５５】
また、電源オフ時表示情報には、図４（ｄ）に示すように、電気泳動表示装置２１の表示領域全般の表示内容が消去され、電気泳動表示装置２１の表示領域中央には、「電源オフしました」というメッセージが表示される報知表示も含まれている。報知表示が行われることによって、電源オフ状態に移行する直前における情報を消去することができ、セキュリティの向上を図ることができる。
【００５６】
また、図４（ｆ）に示すように、操作キー１４の操作に応じて電気泳動表示装置２１には、電源オフ設定時間、本体に対応する電源オフ時表示情報が表示される。ユーザは、図４（ｆ）に示す画面を表示して、操作キー１４を操作することで電源オフ設定時間と、本体に対応する電源オフ時表示情報との設定が可能である。尚、電源オン状態において、操作キー１４等の操作なく電源オフ設定時間が経過したときには、上述したように電源オン状態から電源オフ状態となる。
【００５７】
次に、図５から図８のフローチャートを参照して、携帯型表示装置１等の動作について説明する。図５から図７は、携帯型表示装置１において実行される処理の動作を示すフローチャートであり、図８は、外部装置２００において実行される処理の動作を示すフローチャートである。特に、図５に示す電源オン処理は、携帯型表示装置１が電源オフ状態から電源オン状態に移行する際に開始される。つまり、電源キー１５が押下される、又は、操作キー１４が押下された際に開始される。
【００５８】
まず、図５に示すように、電源オン処理では、ＣＰＵ１０への電力供給が開始され（ステップＳ１１）、次いで周辺機器への電力供給が開始される（ステップＳ１２）。そして、周辺機器の初期化処理が行われ（ステップＳ１３）、ＣＰＵ１０においてシステムが起動される（ステップＳ１４）。このシステム起動により、以下のような処理が実行される。
【００５９】
ＣＰＵ１０は、ＥＥＰＲＯＭ１８の報知表示設定が報知表示であるか否かを判定する（ステップＳ１６）。ＥＥＰＲＯＭ１８の報知表示設定は、後述のステップＳ６６においてＥＥＰＲＯＭ１８に記憶される。報知表示設定は、電源オフ状態において電気泳動表示装置２１に表示されている情報が報知表示であるか否かを示す。ＣＰＵ１０は、ＥＥＰＲＯＭ１８の報知表示設定が報知表示であると判別した場合には（ステップＳ１６：ＹＥＳ）、ステップＳ１９に進み、報知表示ではないと判別した場合には（ステップＳ１６：ＮＯ）、ステップＳ１７に進む。
【００６０】
ステップＳ１７において、ＣＰＵ１０は、ＥＥＰＲＯＭ１８から現表示情報を読み出し、読み出した現表示情報を基に、電源オフ状態に移行する直前のコンテンツを表示する（ステップＳ１８）。尚、現表示情報は、電源オフ状態に移行する直前にどのような情報を表示していたかを示す情報である。後述のＳ５６において、現表示情報がＥＥＰＲＯＭ１８に記憶される。ＣＰＵ１０は、ＥＥＰＲＯＭ１８の報知表示設定が報知表示ではない場合には、図４（ｄ）に示すような報知表示から、図４（ａ）に示すような電源オフ状態に移行する直前に表示されていた画像を表示させる制御を行うこととなる。
【００６１】
一方、ステップＳ１９において、ＣＰＵ１０は、トップページを表示する。これによって、ＣＰＵ１０は、ＥＥＰＲＯＭ１８の報知表示設定が報知表示である場合には、図４（ｄ）に示すようにトップページを表示させる制御を行うこととなる。
【００６２】
次に、図６に示すように、電源オン状態となったタイミングで呼び出される電源オフ処理では、ＣＰＵ１０は、操作キー１４又は電源キー１５などの任意キーの押下操作があったか否かを判定する（ステップＳ５１）。ＣＰＵ１０は、任意キーの押下操作があったと判定した場合には（ステップＳ５１：ＹＥＳ）、ステップＳ５５に進み、任意キーの押下操作がなかったと判定した場合には（ステップＳ５１：ＮＯ）、電源オフ設定時間を計測するためにタイマ計測を開始し（ステップＳ５２）、ステップＳ５３に進む。尚、この電源オフ設定時間は、後述のステップＳ１０３及びステップＳ１０４において、ＥＥＰＲＯＭ１８に記憶される。
【００６３】
ステップＳ５３においても、ＣＰＵ１０は、操作キー１４などの任意キーの押下操作があったか否かを判定する。ＣＰＵ１０は、任意キーの押下操作があったと判定した場合には（ステップＳ５３：ＹＥＳ）、ステップＳ５５に進み、任意キーの押下操作がなかったと判定した場合には（ステップＳ５３：ＮＯ）、電源オフ設定時間が経過したか否かを判定する（ステップＳ５４）。ＣＰＵ１０は、電源オフ設定時間が経過したと判定した場合には（ステップＳ５４：ＹＥＳ）、ステップＳ５６に進み、ユーザ電源オフ設定が経過していないと判定した場合には（ステップＳ５４：ＮＯ）、再度、ステップＳ５３に進む。
【００６４】
ステップＳ５５において、ＣＰＵ１０は、電源キー１５が押下操作されたか否かを判定する。ＣＰＵ１０は、電源キー１５が押下操作されたと判定した場合には（ステップＳ５５：ＹＥＳ）、ステップＳ５６に進み、電源キー１５が押下操作されていないと判定した場合には（ステップＳ５５：ＮＯ）、その操作に対応する処理を実行し（ステップＳ５７）、再度、ステップＳ５１に進む。
【００６５】
これによって、電源オン状態において、任意キーの操作がなく電源オフ設定時間が経過した場合や、電源キー１５の操作があった場合には、ステップＳ５６に進むこととなる。
【００６６】
ステップＳ５６において、ＣＰＵ１０は、表示中のコンテンツや、そのコンテンツのページ数等を識別する現表示情報をＥＥＰＲＯＭ１８に退避する。これによって、ＣＰＵ１０は、携帯型表示装置１が電源オン状態から電源オフ状態に移行した場合であっても、電源オフ状態に移行する直前に表示されていた情報を継続して認識することができる。
【００６７】
尚、本実施形態においては、報知表示が設定されていない場合には、必ず、電源オン状態において表示していた情報を復帰させたが、本発明はこれに限られない。例えば、電源キー１５と、操作キー１４などの任意のキーとを同時に押下操作すること等の操作態様で、報知表示であるか否かに拘わらず、電源オン状態で表示していた情報を復帰させてもよい。また、例えば、どのような操作態様でも、報知表示であるか否かに拘わらず、表示情報を復帰させないようにしてもよい。そのような構成である場合には、報知表示が設定された場合には、表示情報を復帰させないため、現表示情報を退避させなくてもよい（ステップＳ５６省略可）。また、本体に電源キー１５がない場合は、任意のキーを長押しすることで、電源キー１５の代わりとしてもよい。
【００６８】
そして、ＣＰＵ１０は、表示しているコンテンツに対応する電源オフ時表示情報の設定があるか否かを判定する（ステップＳ６１）。ＣＰＵ１０は、電源オフ表示テーブル（コンテンツ）に、設定対象として表示しているコンテンツのデータが記憶されているか否かに基づいてステップＳ６１の判断を行う。ＣＰＵ１０は、表示しているコンテンツに対応する電源オフ時表示情報の設定があると判定した場合には（ステップＳ６１：ＹＥＳ）、表示しているコンテンツに対応する電源オフ時表示情報の設定をメモリカード２３から読み出し（ステップＳ６３）、ステップＳ６６に進む。一方、ＣＰＵ１０は、表示しているコンテンツに対応する電源オフ時表示情報の設定がないと判定した場合には（ステップＳ６１：ＮＯ）、電源オフ表示テーブル（本体）に記憶されている本体に対応する電源時オフ表示情報の設定をＥＥＰＲＯＭ１８から読み出し（ステップＳ６２）、ステップＳ６６に進む。また、上述のステップＳ６１では、表示している情報がコンテンツでない場合も、ステップＳ６２に移行する。例えば、トップページの表示中等にステップＳ６２に移行する。
【００６９】
そして、ＣＰＵ１０は、読み出した電源オフ時表示情報の設定に基づいて、電源オフ時表示情報を表示させ（ステップＳ６６）、フッタ（表示領域下方）に「電源オフしました」というメッセージを表示し（ステップＳ６７）、ステップＳ６８に進む。また、ＣＰＵ１０は、報知表示設定に基づいて、複数の電源オフ時表示情報があると判定した場合には、全ての情報を並べて表示させることとなる。
【００７０】
そして、ＣＰＵ１０は、システム停止の準備を行い、即ちＣＰＵ１０が周辺機器に対して動作を停止する指示を出力し（ステップＳ６８）、周辺機器の電力供給の停止を行い（ステップＳ６９）、ＣＰＵ１０の電力供給を停止する（ステップＳ７０）。これによって、携帯型表示装置１は、電源オフ状態となる。
【００７１】
ステップＳ６１において参照される電源オフ表示テーブル（本体）は、詳しく後述するが、ユーザの操作に応じて設定され、ＥＥＰＲＯＭ１８に記憶される。つまり、ＣＰＵ１０は、操作キー１４などの操作部の操作に応じて指定された情報を、電源オン状態から電源オフ状態へ移行する際に表示することとなる。
【００７２】
従って、電源オフ状態のときに表示させる電源オフ時表示情報が、ユーザによって指定でき、電源オン状態から電源オフ状態へ移行する場合において、ユーザの所望とする情報を電気泳動表示装置２１に表示することができ、簡便である。
【００７３】
また、ＣＰＵ１０は、電源オン状態から電源オフ状態へ移行する際に、ひとつの設定対象に対して、複数の電源オフ時表示情報が記憶されている場合には、その記憶された複数の電源オフ時表示情報を同時に並べて表示することとなる。従って、電源オフ状態へ移行する際に複数の情報を同時に表示でき、多くの情報を視認することができる。
【００７４】
また、ＣＰＵ１０は、メモリカード２３に記憶された複数の情報のうち、電源オフ状態への移行直前の電源オン状態において表示しているコンテンツ（情報）に関連する情報を表示することとなる。従って、ユーザが視認していた情報に関連する情報を表示することによって、電源オン状態と電源オフ状態とで関連性を持たせることができる。
【００７５】
次に、電源オフ設定処理について説明する。電源オン状態の携帯型表示装置１において所定操作が行われると、まず、図４（ｆ）に示した電源オフ設定時間および電源オフ時表示情報を設定するための設定画面が表示され、その後、電源オフ設定処理が呼び出される。上述の設定画面では、電源オフ設定時間を設定するための項目である「電源オフ設定時間」と、電源オフ時表示情報を設定するための項目である「電源オフ時表示情報」とが表示されている。
【００７６】
電源オフ設定処理では、ＣＰＵ１０は、操作キー１４などの押下操作に応じて、「電源オフ設定時間」の項目を選択する操作があったか否かを判定する（ステップＳ１０１）。ＣＰＵ１０は、「電源オフ設定時間」の項目を選択する操作があったと判定した場合には（ステップＳ１０１：ＹＥＳ）、ユーザに対して自動的に電源オフ状態に移行する機能を有効にするか否かの選択を促すメッセージを表示し、操作キー１４によるユーザの選択操作を受け付け、その選択操作に応じて、経過時間によって電源オフ状態とするか否かを判定する（ステップＳ１０２）。ＣＰＵ１０は、経過時間によって電源オフ状態とすると判定した場合には（ステップＳ１０２：ＹＥＳ）、具体的な設定値の入力を促すメッセージを表示し、ユーザにより入力された設定値を電源オフ設定時間として設定した後、再度、上述の設定画面を表示して（ステップＳ１０３）、ステップＳ１０５に進む。一方、ＣＰＵ１０は、経過時間によって電源オフ状態としないと判定した場合には（ステップＳ１０２：ＮＯ）、電源オフ設定時間を設定せず（ステップＳ１０４）、ステップＳ１０５に進む。また、ＣＰＵ１０は、「電源オフ設定時間」の項目を選択する操作がなかったと判定した場合には（ステップＳ１０１：ＮＯ）、ステップＳ１０５に進む。
【００７７】
次に、ＣＰＵ１０は、操作キー１４などの押下操作に応じて、「電源オフ時表示情報」の項目を選択する操作があったか否かを判定する（ステップＳ１０５）。ＣＰＵ１０は、「電源オフ時表示情報」の項目を選択する操作があったと判定した場合には（ステップＳ１０５：ＹＥＳ）、電源オフ時表示情報の設定を促すメッセージを表示し、設定の入力を終了する操作が行われたか否かを判定する（ステップＳ１０６）。ＣＰＵ１０は、設定の入力を終了する操作が行われていないと判定した場合には（ステップＳ１０６：ＮＯ）、ステップＳ１０７に進む。一方、ＣＰＵ１０は、設定の入力を終了する操作が行われたと判定した場合や（ステップＳ１０６：ＹＥＳ）、「電源オフ時表示情報」の項目が選択されないと判定した場合には（ステップＳ１０５：ＮＯ）、本処理を終了する。
【００７８】
ステップＳ１０７において、ＣＰＵ１０は、ユーザにより電源オフ時に表示する情報を指定する操作の入力を受け付ける。尚、ステップＳ１０７においては、メモリカード２３に記憶された情報が指定される。ユーザにより指定された情報を電源オフ時表示情報として電源オフ表示テーブル（本体）に登録し（ステップＳ１０８）、再度、ステップＳ１０６に進む。これによって、ＣＰＵ１０は、操作キー１４などの操作部の操作に応じて指定された一又は複数の情報（例えば、情報１、情報２、報知表示など）を選択し、電源オフ表示テーブル（本体）に記憶することとなる。
【００７９】
次に、外部装置２００において所定操作で呼び出される電源オフ設定処理について説明する。電源オフ設定処理は、外部装置２００において所定操作が行われ、メニュー画面が表示装置２２１に表示された後に実行される処理である。メニュー画面では、複数のメニュー項目が選択可能に表示され、メニュー項目のひとつとして「電源オフ時表示情報」の項目も表示される。
【００８０】
図８に示すように、電源オフ設定処理では、外部装置２００におけるＣＰＵ２１０は、操作部２１４の操作に応じて、「電源オフ時表示情報」の項目を選択する操作があったか否かを判定する（ステップＳ１１１）。ＣＰＵ２１０は、「電源オフ時表示情報」の項目を選択する操作があったと判定した場合には（ステップＳ１１１：ＹＥＳ）、メモリカード２３に記憶されているコンテンツの一覧を表示して、設定を行うコンテンツの選択を促すメッセージを表示し、一覧の中からコンテンツを選択する操作の入力を受け付ける（ステップＳ１１２）。そして、ＣＰＵ２１０は、一覧の中からコンテンツを選択する操作の入力があるか否かを判定する（ステップＳ１１３）。ＣＰＵ２１０は、一覧の中からコンテンツを選択する操作の入力があると判定した場合には（ステップＳ１１３：ＹＥＳ）、ステップＳ１１４に進む。一方、ＣＰＵ２１０は、「電源オフ時表示情報」の項目を選択する操作がなかったと判定した場合や（ステップＳ１１１：ＮＯ）、一覧の中からコンテンツを選択する操作の入力がないと判定した場合には（ステップＳ１１３：ＮＯ）、本処理を終了する。尚、ステップＳ１１１や、ステップＳ１１３でＮＯと判断される場合はその他のメニュー項目が選択されるか否かが判断され、その他のメニュー項目が選択された場合はそれに応じた処理を実行した後、本処理を終了する。図８と上記の説明ではこれらのステップを省略して記載している。
【００８１】
ステップＳ１１４において、ＣＰＵ２１０は、ステップＳ１１２において選択されたコンテンツに対して、ユーザにより電源オフ時に表示する情報を指定する操作の入力を受け付ける。尚、ステップＳ１１４においては、メモリカード２３に記憶された情報やＨＤＤ２１８に記憶された情報が指定される。
【００８２】
次に、ユーザにより指定された情報を、ステップＳ１１２において選択されたコンテンツに対応する電源オフ時表示情報として電源オフ表示テーブル（コンテンツ）に登録する（ステップＳ１１５）。尚、ステップＳ１１５において、電源オフ表示テーブルに電源オフ時表示情報として登録された情報がメモリカード２３に予め記憶されていない場合は、ステップＳ１１５において、ＣＰＵ２１０がメモリカード２３にその情報を記憶し、再度、ステップＳ１１２に進む。
【００８３】
これによって、ＣＰＵ２１０は、操作部２１４の操作に応じて指定された一又は複数の情報（例えば、情報１、情報２、報知表示など）を、移行直前の電源オン状態において表示しているコンテンツに関連する情報として選択し、電源オフ表示テーブル（コンテンツ）に記憶することとなる。これによって、ＣＰＵ２１０は、操作部２１４の操作に応じて、電源オフ時に表示する情報をコンテンツに関連付けてメモリカード２３に記憶することとなり、このメモリカード２３を読み取る携帯型表示装置１のＣＰＵ１０は、電源オン状態から電源オフ状態へ移行する際に表示しているコンテンツに関連する情報（例えば、情報１、情報２、報知表示など）を表示することとなる。
【００８４】
以上のようにして、本実施の形態の携帯型表示装置１では、電源オフ状態のときに表示させる情報が、ユーザによって指定でき、電源オン状態から電源オフ状態へ移行する場合において、ユーザの所望とする情報を電気泳動表示装置２１に表示することができ、簡便である。
【００８５】
尚、上記実施の形態におけるＣＰＵ１０は、「制御部」に相当し、電気泳動表示装置２１は、「不揮発性表示部」に相当し、操作キー１４は、「操作部」に相当し、ＥＥＰＲＯＭ１８、メモリカード２３は、「情報記憶部」に相当する。
【００８６】
尚、本発明の携帯型表示装置１は、上記した実施の形態に限定されるものではなく、本発明の要旨を逸脱しない範囲内において種々変更を加え得ることは勿論である。
【００８７】
上述した実施形態においては、携帯型表示装置１において、図３（ａ）に示すような電源オフ表示テーブル（本体）を更新し、外部装置２００において、図３（ｂ）に示すような電源オフ表示テーブル（コンテンツ）を更新したが、これに限らず、例えば、携帯型表示装置１自体で図３（ｂ）に示すような電源オフ表示テーブル（コンテンツ）を更新してもよい。また、例えば、外部装置２００において、図３（ａ）に示すような電源オフ表示テーブル（本体）を更新してもよい。
【００８８】
また、上述した実施形態においては、コンテンツ毎に、電源オフ時表示情報を設定可能としたが、これに限らない。例えば、コンテンツの種別毎、コンテンツのデータが格納されているフォルダ毎、コンテンツの名前別（具体的にはあ行など）、コンテンツに機密情報が設定されているか否か、コンテンツのセキュリティレベル、電源オフ状態となる際における時間などに対して、電源オフ時表示情報を設定可能としてもよい。
【００８９】
このような第二実施形態について図９（ａ）〜（ｃ）を用いて以下に説明する。尚、本実施形態においては、発明の理解を容易とするために、異なる構成、処理について主に説明をし、同じような構成、処理については説明を省略する。
【００９０】
図９（ａ）〜（ｃ）を参照して、携帯型表示装置１で電源オン状態から電源オフ状態に移行する場合において、電源オフ状態で表示させる情報を決定するための電源オフ表示テーブルについて説明する。
【００９１】
電源オフ表示テーブルには、図９（ａ）に示すような電源オフ表示テーブル（本体）と、図９（ｂ）に示すような電源オフ表示テーブル（コンテンツ）と、図９（ｃ）に示すような電源オフ表示テーブル（時間）と、が含まれている。
【００９２】
電源オフ表示テーブル（本体）は、携帯型表示装置１の自体（本体）全般においてデフォルトとして設定されるテーブルである。第二実施形態においては、図１２（ａ）に示すように、一つの設定対象に対して、複数の電源オフ時表示情報の設定が行われている場合は、図７（ｃ）のように複数の情報を複数の領域に分けて表示する。尚、第二実施形態の電源オフ表示テーブル（本体）には、電源オフ時表示情報の設定として、時間設定を設定可能である。時間設定に対応する電気泳動表示装置２１の表示領域には、後述の電源オフ表示テーブル（時間）に従って、天気予報、スケジューラ、番組表、カレンダなどの情報が表示される。
【００９３】
電源オフ表示テーブル（コンテンツ）は、電源オフ表示テーブル（本体）とは別に、コンテンツ毎、コンテンツの種別毎、コンテンツのデータが格納されているフォルダ毎、コンテンツの名前毎、コンテンツに機密情報が設定されているか否か、コンテンツのセキュリティレベルに対応して設定されるテーブルであり、電源オフ表示テーブル（時間）は、あるコンテンツにおける時間毎に設定されるテーブル（コンテンツ）である。電源オフ表示テーブルは、図９に示すように、属性と設定対象と電源オフ時表示とが対応付けられて設定されている。
【００９４】
図９（ｂ）に示すように、属性には、「コンテンツ」、「コンテンツ種別」、「コンテンツのデータが格納されているフォルダ」、「コンテンツ名称」、「機密情報」、「セキュリティレベル」などが含まれており、それらの属性毎に電源オフ時表示情報が設定可能である。コンテンツは、コンテンツのデータのファイル形式や、コンテンツのジャンル（スポーツ、政治、経済など）などで分類が可能であり、この分類の属性が「コンテンツの種別」である。コンテンツは、例えば、“Ａ”から始まるコンテンツ名、ア行から始まるコンテンツ名という分類が可能であり、この分類の属性が「コンテンツ名称」である。コンテンツは、予めコンテンツに機密情報が付加されているか否かによって分類が可能であり、この分類の属性が「機密情報」である。コンテンツは、予めコンテンツに付加されたセキュリティレベルによって分類が可能であり、この分類の属性が「セキュリティレベル」である。これによって、図８のステップＳ１１２において、コンテンツ毎だけではなく、他の上述の分類毎でも、電源オフ時表示情報として情報を関連付けることができる。尚、上述の分類が特許請求の範囲に記載の情報種別に相当する。
【００９５】
図９（ｂ）のような電源オフ表示テーブル（コンテンツ）を用いれば、分類毎に、電源オフ時表示情報を設定可能であり、簡便である。
【００９６】
また、第二実施形態の電源オフ表示テーブル（コンテンツ）では、電源オフ時表示情報の設定として、最終表示を設定可能である。この最終表示とは、電源オフ状態となる直前まで表示されていた情報をそのまま継続して表示する設定である。このような最終表示は、図７のステップＳ１０７、図８のステップＳ１１４において、電源オフ時表示情報として関連付けることができる。
【００９７】
これによって、ＣＰＵ１０は、携帯型表示装置１が電源オン状態から電源オフ状態へ移行する際に、電源オフ時表示情報が各種情報や報知表示であるときは予め設定された情報を表示し、最終表示であるときは表示している情報をそのまま継続して表示することとなる。図９（ｂ）に示す電源オフ表示テーブル（コンテンツ）に基づいてＣＰＵ１０が電源オフ状態のときに表示する情報を判断する場合、電源オン状態で表示中の情報がフォルダＡに格納されているコンテンツであるときは、電源オフ状態において電気泳動表示装置２１にはそのコンテンツが継続して表示されることになる。
【００９８】
また、第二実施形態の電源オフ表示テーブル（コンテンツ）では、電源オフ時表示情報の設定として、警告表示を設定可能である。警告表示の設定で電源オフ状態に移行する際は、今まで表示されていた情報を消し、機密情報を表示したまま報知されて電源がオフされたことを警告するメッセージを表示する。第二実施形態においては、機密情報が設定されているコンテンツと、セキュリティレベルが所定のレベル以上のコンテンツに対して、警告表示が設定されている。従って、電源オン状態から電源オフ状態へ移行する際に電気泳動表示装置２１に表示中のコンテンツのセキュリティレベルが所定以上のレベルに設定されているとき、電気泳動表示装置２１に警告するメッセージの表示を行うので、セキュリティ性能を向上させることができる。また、表示中のコンテンツに対して機密情報の設定がされている場合も、警告するメッセージの表示を行うので、セキュリティ性能を向上させることができる。
【００９９】
また、図９（ｃ）に示すように、電源オフ表示テーブル（時間）においては、時間と電源オフ時表示情報とが対応付けられて設定されている。時間は、開始時間と終了時間とを含み、その時間に対応する電源オフ時表示情報の設定が電源オフ表示テーブル（時間）に記憶されている。具体的には、時間が６時から８時の間であるときには、電源オフ時表示情報として天気予報が、時間が８時から１７時の間であるときには、電源オフ時表示情報としてスケジューラが、時間が１７時から０時の間であるときには、電源オフ時表示情報として番組表が、時間が０時から６時の間であるときには、電源オフ時表示情報としてカレンダが、それぞれ対応付けられている。
【０１００】
電源オフ表示テーブル（本体）の電源オフ時表示情報の設定として時間設定が設定されている場合に、電源オフ表示テーブル（時間）は参照される。ＣＰＵ１０は、携帯型表示装置１が電源オン状態から電源オフ状態へ移行する際に、電源オフ状態へ移行する時間に応じた情報をステップＳ６２において選択し、ステップＳ６６において表示することとなる。例えば、６時から８時の間に電源オフ状態へ移行する場合は、図４（ｃ）の情報１に換えて天気予報が、情報２、情報３とともに表示される。また、たとえば、１７時から０時までの間に電源オフ状態へ移行する場合は、図４（ｃ）の情報１に換えて番組表が、情報２、情報３とともに表示される。従って、複数の情報のうち、電源オフ状態へ移行する時間に応じた情報を表示させることができ、簡便である。
【０１０１】
また、上述の実施形態においては、ＥＥＰＲＯＭ１８や、メモリカード２３には、予めコンテンツのデータや、コンテンツに対する設定情報などが記憶されているが、これに限らない。例えば、他の端末から供給されるコンテンツのデータや、電源オフ表示テーブルの設定に関する情報などを、通信網を介して取得し、ＥＥＰＲＯＭ１８や、メモリカード２３に記憶するようにしてもよい。また、例えば、ＵＳＢテーブルなどを介して、携帯型表示装置１におけるＥＥＰＲＯＭ１８にコンテンツのデータや、電源オフ表示テーブルの設定に関する情報などを格納させてもよい。
【符号の説明】
【０１０２】
１    携帯型表示装置
１０  ＣＰＵ
１４  操作キー
１５  電源キー
１６  ＲＯＭ
１８  ＥＥＰＲＯＭ
１９  ＲＴＣ
２１  電気泳動表示装置
２２  バッテリ
２３  メモリカード
【図１】
2011039703.tif 000003
【図２】
2011039703.tif 000004
【図３】
2011039703.tif 000005
【図４】
2011039703.tif 000006
【図５】
2011039703.tif 000007
【図６】
2011039703.tif 000008
【図７】
2011039703.tif 000009
【図８】
2011039703.tif 000010
【図９】
2011039703.tif 000011